(57)【特許請求の範囲】
【請求項１】
時間帯に対応付けて広告種別を記憶し、広告ごとの広告に係る情報および該広告が放送された時間を特定する情報、ならびに、該広告ごとの広告種別を記憶する記憶部と、
前記時間帯に対応付けられる広告種別の変更を受け付ける受付部と、
前記変更を前記記憶部に反映させる反映部と、
前記記憶部における前記時間帯と前記広告種別との対応付けに基づき、前記時間帯と、広告の放送時刻とが一致するか否かを判定し、一致する場合に、前記広告に対して前記広告の放送時刻と一致する時間帯に対応する前記広告種別を割り付ける判定部と、
前記記憶部に記憶された情報を参照して、指定された時間帯に連続して放送された複数の広告を広告群に区分する区分部と、
前記複数の広告に係る各情報を、前記広告種別ごとに異なる表示態様で、前記広告群ごとに区分けして出力する出力部と、
を有し、
前記受付部は、前記出力部により出力された前記複数の広告に係る各情報に対応する前記広告種別の変更を受け付け、
前記反映部は、前記受付部により受け付けられた前記複数の広告に係る各情報に対応する前記広告種別の変更を、前記記憶部において該変更に該当する前記複数の広告に係る各情報と対応する広告種別へ反映し、
前記判定部は、前記反映部により反映された前記変更に該当する前記広告が放送された時間を特定する情報と、前記時間帯とが一致するか否かを判定し、一致する場合に、前記記憶部において一致する前記時間帯に対応付けられる広告種別へ該変更を割り付ける
ことを特徴とする広告処理装置。
【請求項２】
コンピュータに、
時間帯と広告種別とを対応付けて記憶し、広告ごとの広告に係る情報および該広告が放送された時間を特定する情報、ならびに、該広告ごとの広告種別を記憶する記憶部において前記時間帯に対応付けられる広告種別の変更を受け付け、
前記変更を前記記憶部に反映させ、
前記記憶部における前記時間帯と前記広告種別との対応付けに基づき、前記時間帯と、広告の放送時刻とが一致するか否かを判定し、一致する場合に、前記広告に対して前記広告の放送時刻と一致する時間帯に対応する前記広告種別を割り付け、
前記記憶部に記憶された情報を参照して、指定された時間帯に連続して放送された複数の広告を広告群に区分し、
前記複数の広告に係る各情報を、前記広告種別ごとに異なる表示態様で、前記広告群ごとに区分けして出力し、
前記出力された前記複数の広告に係る各情報に対応する前記広告種別の変更を受け付け、
前記受け付けられた前記複数の広告に係る各情報に対応する前記広告種別の変更を、前記記憶部において該変更に該当する前記複数の広告に係る各情報と対応する広告種別へ反映し、
前記反映された前記変更に該当する前記広告が放送された時間を特定する情報と、前記時間帯とが一致するか否かを判定し、一致する場合に、前記記憶部において一致する前記時間帯に対応付けられる広告種別へ該変更を割り付ける
各処理を実行させることを有することを特徴とする広告処理プログラム。
【請求項３】
コンピュータが、
時間帯と広告種別とを対応付けて記憶し、広告ごとの広告に係る情報および該広告が放送された時間を特定する情報、ならびに、該広告ごとの広告種別を記憶する記憶部において前記時間帯に対応付けられる広告種別の変更を受け付け、
前記変更を前記記憶部に反映させ、
前記記憶部における前記時間帯と前記広告種別との対応付けに基づき、前記時間帯と、広告の放送時刻とが一致するか否かを判定し、一致する場合に、前記広告に対して前記広告の放送時刻と一致する時間帯に対応する前記広告種別を割り付け、
前記記憶部に記憶された情報を参照して、指定された時間帯に連続して放送された複数の広告を広告群に区分し、
前記複数の広告に係る各情報を、前記広告種別ごとに異なる表示態様で、前記広告群ごとに区分けして出力し、
前記出力された前記複数の広告に係る各情報に対応する前記広告種別の変更を受け付け、
前記受け付けられた前記複数の広告に係る各情報に対応する前記広告種別の変更を、前記記憶部において該変更に該当する前記複数の広告に係る各情報と対応する広告種別へ反映し、
前記反映された前記変更に該当する前記広告が放送された時間を特定する情報と、前記時間帯とが一致するか否かを判定し、一致する場合に、前記記憶部において一致する前記時間帯に対応付けられる広告種別へ該変更を割り付ける
各処理を実行することを特徴とする広告処理方法。
【発明の詳細な説明】
【技術分野】
【０００１】
本願の開示する技術は、広告処理装置、広告処理方法および広告処理プログラムに関する。
【背景技術】
【０００２】
従来、テレビ番組を放映するテレビ局は、スポンサー契約を締結した企業の広告や宣伝を目的とした放送広告であるコマーシャルをテレビ番組の合間などに放送する。コマーシャル（以下、ＣＭと記載する）には、ネットＣＭと呼ばれるものと、ローカルＣＭと呼ばれるものがある。ネットＣＭとは、例えば、基幹となるネット局から全国ネットで放送されるＣＭである。ローカルＣＭとは、例えば、ローカル局からローカル局の放送エリアに向け、放送されるＣＭである。
【０００３】
ところで、テレビ局では、ＣＭを放送する権利を得るスポンサー契約を取り付ける営業業務の一環としてＣＭ出稿調査が行なわれている。ＣＭ出稿調査とは、例えば、テレビ番組内やテレビ番組の合間に他局でどのようなスポンサーのＣＭが流れているかを調査するものである。ＣＭ出稿調査の中では、調査対象のＣＭがネットＣＭであるのか、あるいはローカルＣＭであるのかの判断が行われる。
【０００４】
ここで、テレビ局は、調査対象のＣＭがネットＣＭか、ローカルＣＭかを判断する場合、調査対象のＣＭの放送時間帯に着目する。テレビ局は、番組の放送時間帯ごとに、ネット局およびローカル局のうちいずれの局による放送であるかを示す情報を所定の調査会社から取得する。そして、テレビ局は、調査対象のＣＭがネット局の放送時間帯に放送されている場合にはネットＣＭと判断する。一方、テレビ局は、調査対象のＣＭがローカル局の放送時間帯に放送されている場合にはローカルＣＭと判断する。しかし、テレビ局が取得する情報は、放送から２週間から１ヶ月ほど経過した後に提供される。よって、テレビ局がＣＭ出稿調査を行うときの実際の放送時間帯と、調査会社から取得した情報とが対応していない可能性がある。このため、所定の調査会社から取得する情報では、放送の実態に即して、ネットＣＭか、ローカルＣＭかの判断を行うことが難しくなっている。
【０００５】
そこで、従来は、できるだけ放送の実態に即した判断を行うために、以下のような方法でＣＭ出稿調査が行なわれている。例えば、従来のＣＭ出稿調査では、調査対象となるＣＭの放送日と番組の放送時間帯が同一であろうと推測される先週の放送時間帯の情報を取得する。そして、従来のＣＭ出稿調査では、先週の放送時間帯と、調査対象となるＣＭの放送時間帯とを比較することで、ネットＣＭか、ローカルＣＭかを判断する。
【先行技術文献】
【特許文献】
【０００６】
【特許文献１】特開平１０−１７４０６８号公報
【発明の概要】
【発明が解決しようとする課題】
【０００７】
上述したように、従来のＣＭ出稿調査では、前週の放送時間帯の情報に基づいて、ネットＣＭか、ローカルＣＭかが機械的に判断されている。しかし、例えば、今日放送されたＣＭが、前週も同一の放送時間帯に放送されているとは限らないので、判断を誤る可能性があった。そこで、人がＣＭをみて、ネットＣＭか、ローカルＣＭかの最終的な判断を下すことになる。しかしながら、ネット局とローカル局とで同一のＣＭが放送されることもあるので、人がＣＭをみて、ネットＣＭか、ローカルＣＭかを判断するのは必ずしも容易ではない。
【０００８】
開示の技術は、上記に鑑みてなされたものであって、広告の種別の切り分け作業を容易にすることが可能な広告処理装置、広告処理方法および広告処理プログラムを提供することを目的とする。
【課題を解決するための手段】
【０００９】
本願の開示する広告処理装置は、一つの態様において、記憶部と、受付部と、区分部と、出力部とを有する。記憶部は、広告ごとに広告に係る情報と該広告が放送された時間を特定する情報とを記憶する。受付部は、時間帯の指定を受け付ける。区分部は、前記記憶部に記憶された情報を参照して、前記受付部で受け付けた時間帯に放送された複数の広告を特定し、特定した複数の広告を、連続して放送された一連の広告群ごとに区分する。出力部は、前記複数の広告に係る各情報を、前記区分部によって区分された広告群ごとに区分けして出力する。
【発明の効果】
【００１０】
本願の開示する技術の一つの態様によれば、広告の種別の切り分け作業を容易にすることができる。
【図面の簡単な説明】
【００１１】
【図１】図１は、実施例１に係る広告処理装置の構成を示す機能ブロック図である。
【図２】図２は、番組表データの一例を示す図である。
【図３】図３は、番組表の作成方法の一例を示す図である。
【図４】図４は、ＣＭデータの一例を示す図である。
【図５】図５は、番組表の表示例を示す図である。
【図６】図６は、詳細画面の表示例を示す図である。
【図７】図７は、詳細画面の表示例を示す図である。
【図８】図８は、ＣＭデータの一例を示す図である。
【図９】図９は、番組表の表示例を示す図である。
【図１０】図１０は、修正部の説明に用いる図である。
【図１１】図１１は、実施例１に係るＣＭ種別反映処理の流れを示す図である。
【図１２】図１２は、実施例１に係るＣＭ種別自動割付処理の流れを示す図である。
【図１３】図１３は、実施例１に係るＣＭ種別修正処理の流れを示す図である。
【図１４】図１４は、広告処理プログラムを実行する電子機器の一例を示す図である。
【発明を実施するための形態】
【００１２】
以下に、図面を参照しつつ、本願の開示する広告処理装置、広告処理方法および広告処理プログラムの一実施形態について説明する。後述する実施例は一実施形態にすぎず、本願の開示する広告処理装置、広告処理方法および広告処理プログラムを限定するものではない。また、後述する各実施例は処理内容に矛盾を生じさせない範囲で適宜組み合わせることもできる。
【００１３】
なお、以下の実施例では、本願の開示する広告処理装置が、番組改編から次の番組改編までの放送期間において実行する種々の処理について説明する。一例を挙げると、本願の開示する広告処理装置には、番組改編直後から、キャプチャされた広告（ＣＭデータ）が入力される。また、例えば、広告処理装置は、ユーザにより所定の時間帯が指定されると、当該時間帯のＣＭデータを区分けして一覧表示する。また、例えば、広告処理装置は、各ＣＭデータがネットＣＭまたはローカルＣＭのいずれであるかを示すＣＭ種別をユーザから受け付ける。また、例えば、広告処理装置は、ユーザから受け付けたＣＭ種別に基づいて、ＣＭデータにＣＭ種別を付与する。さらに、広告処理装置は、放送の時間帯ごとネットＣＭあるいはローカルＣＭであるかを示す情報が対応付けられた番組表データに更新する。また、例えば、広告処理装置は、次の番組改編まで、キャプチャされたＣＭデータが入力されるたびに、更新された番組表データに基づいて、ＣＭデータにＣＭ種別を付与する。
【実施例１】
【００１４】
［広告処理装置の構成（実施例１）］
図１は、実施例１に係る広告処理装置の構成を示す機能ブロック図である。図１に示すように、実施例１に係る広告処理装置２００は、放送データをキャプチャするキャプチャ装置１００と接続する。また、図１に示すように、広告処理装置２００は、通信部２１０と、入力部２２０と、出力部２３０と、記憶部２４０と、制御部２５０とを有する。
【００１５】
通信部２１０は、所定のネットワークを介して実行されるキャプチャ装置１００との間の通信を行う。所定のネットワークとしては、例えば、光ファイバなどを用いたインターネット回線によるネットワークや、ケーブルや無線を利用したＬＡＮ（Local  Area  Network）などのネットワークなどに該当する。
【００１６】
入力部２２０は、キーボードやマウス、タッチパッドなどの入力デバイスを有し、広告処理装置２００のユーザにより操作される。例えば、入力部２２０は、ディスプレイなどに表示された番組表内の時間帯の中から一の時間帯の指定を行うユーザにより操作される。また、入力部２２０は、ディスプレイなどに、一連のＣＭ群ごとに区分け表示されたＣＭデータに対してＣＭ種別の指定を行うユーザにより操作される。
【００１７】
出力部２３０は、各種情報を出力する。例えば、出力部２３０は、モニタやディスプレイなどの出力デバイスを有し、入力部２２０が有する入力デバイスと協働して、ポインティングデバイス機能を実現する。また、出力部２３０は、後述する番組表データ記憶部２４１に記憶されている番組表データに基づいた番組表を出力する。ここで、出力部２３０により出力された番組表は、出力部２３０が有するディスプレイなどに表示される。
【００１８】
また、出力部２３０は、ＣＭデータを一連のＣＭ群ごとに出力するように、後述する制御部２５０の区分部２５２や修正部２５４から出力指示を受け付けるとＣＭデータを出力する。ここで、出力部２３０により出力されたＣＭデータは、出力部２３０が有するディスプレイなどに詳細画面という形式で出力される。なお、詳細画面については、後に図面を参照しつつ説明する。
【００１９】
また、出力部２３０は、一連のＣＭ群ごとに区分けされた各ＣＭデータを出力する。なお、出力部２３０により出力された各ＣＭデータは、出力部２３０が有するディスプレイなどに表示される。
【００２０】
記憶部２４０は、図１に示すように、番組表データ記憶部２４１およびＣＭデータ記憶部２４２を有する。なお、記憶部２４０は、例えば、ＲＡＭ（Random  Access  Memory）やフラッシュメモリ(flash  memory)などの半導体メモリ素子である。
【００２１】
番組表データ記憶部２４１は、広告処理装置２００のユーザにより予め作成された番組表のデータを記憶する。図２は、番組表データの一例を示す図である。図２に示すように、番組表データは、番組の放送が行われる時間帯と、各時間帯の放送がネット枠かローカル枠かを示す情報とを対応付けた１週間の放送スケジュールで構成されている。ここで、ネット枠とは、ネット局による放送が行われる時間帯を表し、ローカル枠とは、ローカル局による放送が行われる時間帯を表す。
【００２２】
図３は、番組表の作成方法の一例を示す図である。図３に示す番組表Ｓ１、番組表Ｓ２、番組表Ｓ３は、例えば、番組の視聴率などを調査する所定の調査会社により作成された１週間の番組表であり、視聴率番組表と呼ばれる。なお、番組表Ｓ１、番組表Ｓ２、番組表Ｓ３は、互いに異なる放送期間の番組表である。また、図３に示す番組表Ｓ４は、番組表Ｓ１、番組表Ｓ２および番組表Ｓ３を用いて、広告処理装置２００のユーザにより作成される１週間の番組表である。なお、所定の調査会社から提供される番組表Ｓ１、Ｓ２およびＳ３には、各放送の時間帯がネット局による放送か、ローカル局による放送かを示す情報が付与されている。
【００２３】
広告処理装置２００のユーザは、上述した番組表Ｓ１、Ｓ２およびＳ３を参照して１週間の番組表Ｓ４を作成する。作成の際、広告処理装置２００のユーザは、特別番組の放送が無いことを条件に、番組表Ｓ１、Ｓ２およびＳ３から時間帯を抽出して１週間の番組表Ｓ４を作成する。ここで、特別番組とは、番組改編から次の番組改編までの放送期間、いわゆるワンクール内で決まった曜日および時間帯に放送されるレギュラー番組とは異なり、イレギュラーに放送される番組である。つまり、上述した放送期間の放送スケジュール、つまり放送の時間帯は、特別番組の放送が行われない限り毎週同一となる。特別番組は、春と秋の改編期の時期と年末年始の時期に放送される。あるいは、特別番組は、国民（視聴者）の生命や財産などに直接関係する、または、その恐れがあると判断する重大な事件・事故、災害などの事態などが発生した時、その日予定されている番組（番組編成）を急遽変更して放送される。このため、特別番組は放送の数自体が少ない。そこで、広告処理装置２００のユーザは、特別番組の放送がなく、レギュラー番組の放送のみが行われているときの放送の時間帯を番組表から抽出し、毎週放送の時間帯がほぼ同一である番組表を作成する。
【００２４】
例えば、図３に示すように、広告処理装置２００のユーザは、番組表Ｓ１を参照して、特別番組の放送がない月曜日、水曜日、木曜日、金曜日の時間帯を番組表Ｓ１から抽出する。また、図３に示すように、広告処理装置２００のユーザは、番組表Ｓ２を参照して、特別番組の放送がない火曜日、土曜日の時間帯を番組表Ｓ２から抽出する。また、図３に示すように、広告処理装置２００のユーザは、番組表Ｓ３を参照して、特別番組の放送がない日曜日の時間帯を番組表Ｓ３から抽出する。そして、図３に示すように、広告処理装置２００のユーザは、番組表Ｓ１、Ｓ２およびＳ３から抽出した放送の時間帯を合成して、毎週ほぼ同一とみなすことができる番組表Ｓ４を作成する。
【００２５】
なお、番組表データ記憶部２４１に記憶される番組表データは、上述した放送期間、いわゆるワンクールの切替時期に見直しが行われ、改めて作成し直されたものに入れ替えられる。
【００２６】
ＣＭデータ記憶部２４２は、キャプチャ装置１００によりキャプチャされた放送データに含まれるＣＭデータを記憶する。ＣＭデータ記憶部２４２は、例えば、ＣＭデータに付与される「Ｎｏ．」の情報に対応付けて、ＣＭの放送時間帯、ＣＭ画像データおよびＣＭ種別の情報をＣＭデータとして記憶する。図４は、実施例１に係るＣＭデータの一例を示す図である。図４に示すように、「Ｎｏ．」は、例えば、「Ｎｏ．１」、「Ｎｏ．２」など降順の数字からなるが、数字は一例に過ぎず、英字や、英字と数字との組合せなど、ＣＭデータを一意に識別できればよい。ＣＭの放送時間帯は、例えば、「２０１０／１／１／１９：１０：１２〜２０１０／１／１／１９：１０：２７」のように、年、月、日、時、分、秒からなる。なお、ＣＭの放送時間帯の記憶形態は、２４時間表記で記憶する場合に限られるものではなく、１２時間表記など別の記憶形態を適宜利用することができる。ＣＭ画像データは、放送データに含まれるＣＭデータであり、所定の保存形式でデータファイルとして記憶される。ＣＭ種別は、該当のＣＭデータがネット局で放送されたＣＭか、ローカル局で放送されたＣＭかを示す情報である。例えば、図４において、ＣＭ種別として「ネット」と表記されている箇所は、ネット局で放送されたＣＭであることを示す。なお、ＣＭ種別として「ローカル」と表記されていれば、ローカル局で放送されたＣＭであることを示す。また、図４において「ローカル（ステーションブレイク）」と表記されていれば、ローカル局で放送されたＣＭで、かつステーションブレイクであることを示す。ここで、ステーションブレイクとは、例えば、ある番組の放送から別の番組への放送に切り替わる間に連続して放送されるＣＭである。
【００２７】
なお、ＣＭデータ記憶部２４２に記憶されるＣＭの放送時間帯およびＣＭ画像データは、例えば、制御部２５０により放送データから抽出される。また、ＣＭデータ記憶部２４２に記憶されるＣＭ種別は、制御部２５０により格納される。
【００２８】
図１に戻り、制御部２５０は、受付部２５１、区分部２５２、判別部２５３および修正部２５４を有する。なお、受付部２５１、区分部２５２、判別部２５３および修正部２５４は、例えば、電子回路や集積回路に該当する。電子回路としては、例えば、ＣＰＵ（Central  Processing  Unit）やＭＰＵ（Micro  Processing  Unit）がある。また、集積回路としては、例えば、ＡＳＩＣ（Application  Specific  Integrated  Circuit）やＦＰＧＡ（Field  Programmable  Gate  Array)などがある。
【００２９】
受付部２５１は、番組表データ記憶部２４１に記憶されている番組表を出力部２３０に出力させ、広告処理装置２００のユーザから番組表内の時間帯の指定を受け付ける。例えば、受付部２５１は、制御部２５０において広告処理装置２００の起動が検知されると、番組表データ記憶部２４１から番組表データを取得する。受付部２５１は、制御部２５０によりユーザの処理開始指示の入力が検知されると番組表データ記憶部２４１から番組表データを取得する。次に、受付部２５１は、番組表データに基づく番組表の出力指示を出力部２３０に送る。続いて、受付部２５１は、ユーザにより指定された時間帯の情報を出力部２３０から受け付ける。そして、受付部２５１は、ユーザにより指定された時間帯の情報を区分部２５２に送る。
【００３０】
例えば、図５に、番組表の表示例を示す。図５は、番組表の表示例を示す図である。例えば、図５に示す番組表が出力部２３０により出力され、「１９：００：００〜１９：３０：００、ネット枠」という番組表の箇所がユーザにより指定されたものとする。この場合、受付部２５１は、番組表に対するユーザの指定箇所に対応する情報「１９：００：００〜１９：３０：００、ネット枠」を取得し、時間帯の情報として区分部２５２に送る。
【００３１】
区分部２５２は、受付部２５１から受け付けた時間帯の情報に基づいて、対応する時間帯に放送された複数のＣＭデータを一連のＣＭ群ごとに区分する。ここで、一連のＣＭ群とは、ＣＭ以外の放送を挟まずに連続して放送されたＣＭの集合である。
【００３２】
例えば、区分部２５２は、受付部２５１から時間帯の情報を受け付けると、ＣＭデータ記憶部２４２を参照して、対応する時間帯に放送されたＣＭデータを取得する。例えば、区分部２５２は、時間帯の情報として受付部２５１から「１９：００：００〜１９：３０：００、ネット枠」という情報を受け付けた場合には、「１９：００：００〜１９：３０：００」に放送されたＣＭデータを取得する。
【００３３】
次に、区分部２５２は、取得した各ＣＭデータに対して、一時的に、受付部２５１から受け付けた時間帯の情報に含まれる放送枠の情報に応じたＣＭ種別を付与する。区分部２５２は、例えば、図５に示すように、受付部２５１から受け付けた時間帯の情報に、「ネット枠」という情報が含まれる場合には、取得した各ＣＭデータに対してＣＭ種別「ネット」を一時的に付与する。これにより、例えば、図４に示すように、取得されたＣＭデータに付与されたＣＭ種別がＣＭデータ記憶部２４２に一時的に記憶される。一時的というのは、つまり、区分部２５２により付与されるＣＭ種別が、この後、ユーザによるＣＭ種別の割付により更新されるからである。
【００３４】
続いて、区分部２５２は、取得したＣＭデータの放送時刻に基づいて、一連のＣＭ群を特定し、特定したＣＭ群ごとに区分する。例えば、区分部２５２は、放送時刻が連続しているＣＭデータを一連のＣＭ群として特定する。なお、区分部２５２は、放送時刻の間に１から２秒程度の時間があっても、一連のＣＭ群として特定するようにしてもよい。そして、区分部２５２は、ＣＭデータを一連のＣＭ群ごとに出力するように、出力部２３０に出力指示を送る。このとき、区分部２５２は、出力部２３０に対する出力指示に、受付部２５１から受け付けた時間帯の情報、およびＣＭデータ記憶部２４２から取得したＣＭデータを含める。
【００３５】
例えば、図６に、ＣＭデータが表示される詳細画面の一例を示す。図６は、詳細画面の表示例を示す図である。区分部２５２により区分けされたＣＭ群ごとのＣＭデータは、出力部２３０から出力される詳細画面上に表示される。この詳細画面には、例えば、図６に示すように、一連のＣＭ群ごとに、「ＯＡ時刻」、「秒」、「スポンサー名」、「ＣＭ名」、「プレビュー」がＣＭデータとして表示される。「ＯＡ時刻」はＣＭの放送時刻を表す。「秒」はＣＭの放送時間を表す。「スポンサー名」は、ＣＭの放送契約を行った社名を表し、例えば、「Ａ社」、「Ｂ社」などが表示される。「ＣＭ名」は、代理店やスポンサーにより決定されるＣＭの名称を表し、例えば、「１０周年キャンペーン」や「新作紹介」などが表示される。「プレビュー」は、元のＣＭデータよりも解像度が低く調整された参照用のデータであり、所定の保存形式でデータファイルとして記憶される。
【００３６】
また、図６に示す詳細画面に設けられたユーザ操作箇所について説明する。図６に示す詳細画面上の「ＣＨＫ」は、ユーザがＣＭデータを選択する際に操作される操作部である。例えば、ユーザが、入力部２２０を用いて、「ＣＨＫ」の部分の四角窓を操作すると、四角窓内にチェックが入り、ＣＭデータの選択が有効となる。
【００３７】
また、図６に示す詳細画面上の「Ｌ／Ｎ」は、ＣＭデータの種別を割付する際にユーザにより操作される操作部である。例えば、ユーザが、入力部２２０を用いて、「Ｌ」の左側にある丸窓内を操作すると、丸窓内にチェックが入り、ＣＭデータの種別としてローカルＣＭの割付が有効となる。また、ユーザが、入力部２２０を用いて、「Ｎ」の左側にある丸窓内を操作すると、丸窓内にチェックが入り、ＣＭデータの種別としてネットＣＭの割付が有効となる。また、図６に示す詳細画面上の「ＳＢ」は、ＣＭの種別がステーションブレイクである場合にユーザにより操作される操作部である。例えば、ユーザが、入力部２２０を用いて、「ＳＢ」の部分の四角窓を操作すると、四角窓内にチェックが入り、ＣＭデータの種別としてステーションブレイクの割付が有効となる。
【００３８】
また、図６に示す詳細画面の上部の「Ｎ／Ｌ個別更新」は、ユーザがＣＭデータの種別を個別に割付する場合に操作する操作部である。例えば、ユーザが、入力部２２０を用いて、「Ｎ／Ｌ個別更新」の左側にある丸窓内を操作すると、丸窓内にチェックが入り、個別更新の選択が有効となる。また、図６に示す詳細画面の上部の「Ｎ／Ｌ範囲指定更新」は、ユーザが指定した範囲内のＣＭデータの種別を一括して割付する場合に操作する操作部である。例えば、ユーザが、入力部２２０を用いて、「Ｎ／Ｌ範囲指定更新」の左側にある丸窓内を操作すると、丸窓内にチェックが入り、範囲指定更新の選択が有効となる。
【００３９】
「Ｎ／Ｌ範囲指定更新」について説明する。例えば、ユーザは、入力部２２０を用いて、「ＣＨＫ」の部分の四角窓を２箇所操作し、詳細画面上に区分け表示されたＣＭ群の中で、ＣＭ種別の選択操作を行う範囲を選択する。続いて、ユーザが、「Ｎ／Ｌ範囲指定更新」の右側にある操作部「Ｎ」を操作すると、「ＣＨＫ」の部分のチェックが入った四角窓により特定できるＣＭ群の各ＣＭデータについて、チェック「Ｌ／Ｎ」の「Ｎ」の左側の丸窓全てにチェックが入る。一方、ユーザが、「Ｎ／Ｌ範囲指定更新」の右側にある操作部「Ｌ」を操作すると、「ＣＨＫ」の部分のチェックが入った四角窓により特定できるＣＭ群の各ＣＭデータについて、「Ｌ／Ｎ」の「Ｌ」の左側の丸窓全てにチェックが入る。
【００４０】
また、ユーザは、入力部２２０を用いて、「ＣＨＫ」の部分の四角窓を１箇所操作し、詳細画面上に区分け表示されたＣＭ群の中で、ＣＭ種別の選択操作を行うＣＭ群を選択する。このとき、ユーザは、例えば、ＣＭ群に含まれるＣＭデータのうち、一番上に表示されたＣＭデータに対応する「ＣＨＫ」の部分の四角窓を操作する。そして、ユーザが、「Ｎ／Ｌ範囲指定更新」の右側にある操作部「Ｎ一括」を操作すると、詳細画面上に表示されている全てのＣＭデータについて「Ｌ／Ｎ」の「Ｎ」の左側の丸窓全てにチェックが入る。また、ユーザが、「Ｎ／Ｌ範囲指定更新」の右側にある操作部「Ｌ一括」を操作すると詳細画面上に表示されている全てのＣＭデータについて「Ｌ／Ｎ」の「Ｌ」の左側の丸窓全てにチェックが入る。
【００４１】
また、図６に示す詳細画面の下部にある「更新  ＳＢ↑」は、ユーザがＣＭデータの範囲を指定し、ＣＭの種別としてステーションブレイクを割付する場合に操作する操作部である。基本的には、「Ｎ／Ｌ範囲指定更新」と同様であるが、ユーザは、入力部２２０を用いて、「ＣＨＫ」の部分の四角窓を１箇所操作し、操作部「更新  ＳＢ↑」を操作する。この場合、「ＣＨＫ」の部分の四角窓にチェックが入ったＣＭデータから詳細画面に表示されている最先頭のＣＭデータまでの各ＣＭデータについて、「ＳＢ」の部分の四角窓全てにチェックが入る。また、ユーザは、例えば、「ＣＨＫ」の部分の四角窓を１箇所操作し、操作部「更新  ＳＢ↓」を操作する。この場合、「ＣＨＫ」の部分の四角窓にチェックが入ったＣＭデータから詳細画面に表示されている最後尾のＣＭデータまでの各ＣＭデータについて、「ＳＢ」の部分の四角窓全てにチェックが入る。
【００４２】
また、図６に示す詳細画面の下部にある「番組表へ反映」は、例えば、詳細画面上にてＣＭ種別の割付完了後にユーザにより操作される操作部である。例えば、ユーザにより、操作部「番組表へ反映」が操作されると、図６の詳細画面上でユーザにより選択されたＣＭ種別の情報が、区分部２５２により、番組表データ記億部２４１の番組表データおよびＣＭデータ記憶部２４２のＣＭデータにそれぞれ反映される。
【００４３】
以下、図７から図９を参照しつつ、区分部２５２によるＣＭ種別の反映について説明する。図７は、詳細画面の表示例を示す図である。図８は、ＣＭデータの一例を示す図である。図９は、番組表の表示例を示す図である。例えば、ユーザが詳細画面上で、図７に示すようにＣＭ種別を割り付けた後、操作部「番組表へ反映」を操作したものとする。このとき、区分部２５２は、操作部「番組表へ反映」の操作を検出し、各ＣＭデータについて、ユーザにより割り付けられたＣＭ種別の情報を抽出する。例えば、区分部２５２は、図７に示す詳細画面から、「１９：１０：１２」および「１９：１０：２７」に放送されたＣＭのＣＭ種別としてローカルＣＭである旨の情報を抽出する。同様に、区分部２５２は、図７に示す詳細画面から、「１９：１５：３２」、「１９：１５：４７」、「１９：１６：０２」および「１９：１６：１７」に放送されたＣＭのＣＭ種別としてネットＣＭである旨の情報を抽出する。同様に、区分部２５２は、図７に示す詳細画面から、「１９：２９：００」および「１９：２９：３０」に放送されたＣＭのＣＭ種別としてローカルＣＭ、かつステーションブレイクである旨の情報を抽出する。
【００４４】
そして、区分部２５２は、図７に示す詳細画面から抽出したＣＭ種別の情報を、例えば、図８に示すように、ＣＭデータ記憶部２４２に記憶されているＣＭデータに反映する。例えば、図４と図８と比較すればわかるように、全て「ネット」であったＣＭ種別が、「ネット」、「ローカル」、「ローカル（ステーションブレイク）」のいずれかの種別に更新される。
【００４５】
また、区分部２５２は、図７に示す詳細画面から抽出したＣＭ種別の情報を、番組表データ記億部２４１に記憶されている番組表データにＣＭ種別を反映する。例えば、区分部２５２により番組表データにＣＭ種別が反映されれば、例えば、図９に示すような番組表を出力することもできる。例えば、図９に示す番組表は、図５では「１９：００：００〜１９：３０：００、ネット枠」であった箇所に、「ネットＣＭ」、「ローカルＣＭ」、「ローカルＣＭ（ステーションブレイク）」が挿入されたものとなる。
【００４６】
判別部２５３は、所定のタイミングで、ユーザにより割り付けられたＣＭ種別が区分部２５２により反映された後の番組表データを用いて、ＣＭデータ記憶部２４２に記憶されているＣＭデータのＣＭ種別を自動割付する。例えば、判別部２５３は、所定のタイミングで起動し、番組表データ記憶部２４１から番組表データを取得する。ここで、判別部２５３は、最初は、例えば、区分部２５２によるＣＭ種別の番組表データへの反映後に起動する。そして、判別部２５３は、２回目以降、全ての放送局による放送が終了した後のタイミング、例えば、ＣＭデータ記憶部２４２に放送一日分のＣＭデータが蓄積された時刻で起動する。なお、判別部２５３は、番組改編から次の番組改編までの放送期間では、上述した番組表データ記憶部２４１に記憶されている番組表データに基づいてＣＭ種別の自動判別を実行する。
【００４７】
番組表データの取得後、判別部２５３は、ＣＭデータ記憶部２４２からＣＭデータを取得する。このとき、判別部２５３は、まだ、ＣＭ種別の判別対象となるＣＭデータ、例えば、本日放送されたＣＭのＣＭデータを取得する。そして、判別部２５３は、番組表データに基づいて、ＣＭデータに対してＣＭ種別を自動割付し、ＣＭデータ記憶部２４２に格納する。例えば、判別部２５３は、番組表データの放送の時間帯とＣＭデータの放送時刻と照合する。そして、判別部２５３は、番組表データの放送の時間帯とＣＭデータの放送時刻が一致するものについて、番組表データの放送の時間帯に対応付けられているネットＣＭあるいはローカルＣＭの情報をＣＭデータに自動で割り付ける。ここで、判別部２５３は、番組表データの放送の時間帯とＣＭデータの放送時刻が完全に一致しなくとも、例えば、１秒から２秒の放送の誤差とみなさせる範囲については一致するものとして処理する。なお、判別部２５３は、区分部２５２によるＣＭ種別の反映が完了した後、所定のタイミングでＣＭ種別の自動割付を実行する。
【００４８】
修正部２５４は、所定のタイミングで所定の機関から発行される視聴率番組表データと、番組表データ記憶部２４１に記憶されている番組表データとの比較を行い、ＣＭ種別に割り付けられたＣＭ種別の修正を行う。例えば、修正部２５４は、例えば、判別部２５３によるＣＭ種別の自動割付が行われた後、特別番組が放送されてから対応する番組表が発行される約１週間後に起動される。
【００４９】
例えば、修正部２５４は、視聴率番組表データの読み込みが行われると、番組表データ記憶部２４１から番組表データを取得する。この視聴率番組表データは、特別番組が放送された１週間後に発行される番組表である。なお、視聴率番組表のデータは、例えば、制御部２５２により、所定の機関が運営するサーバからネットワーク経由で読み込まれたり、記憶媒体を介して読み込まれたりする。
【００５０】
続いて、修正部２５４は、視聴率番組表データと番組表データとを比較してデータ間の差異を特定する。例えば、修正部２５４は、番組表データの放送の時間帯が、各放送日の視聴率番組表データの放送の時間帯と異なる箇所を特定する。そして、修正部２５４は、データ間で差異のある箇所を他の箇所と区別して番組表を表示する。例えば、図１０に、修正部２５４による番組表の表示例を示す。図１０は、修正部の説明に用いる図である。例えば、図１０に示すように、視聴率番組表データと番組表データとの間に、１月１５日の土曜日の放送の時間帯について差異があるとする。この場合には、修正部２５４は、視聴率番組表データと差異がある番組表データの土曜日の箇所を視聴率番組表データのデータに置き換えて表示するように、出力部２３０に指示を送る。なお、図１０は一例であり、視聴率番組表データと番組表データとの間に放送の時間帯に差異がある箇所が複数ある場合には、差異のある箇所をそれぞれ表示し、放送日が異なる場合には放送日ごとに別のウィンドウ上に表示することができる。そして、修正部２５４は、視聴率番組表データと差異がある番組表データの放送の時間帯へのユーザの指定の受付を待機する。
【００５１】
修正部２５４は、受付部２５１にて時間帯の指定が受け付けられると、受付部２５１から時間帯の情報を受け付けると、ＣＭデータ記憶部２４２を参照して、対応する時間帯に放送されたＣＭデータを取得する。続いて、区分部２５２は、取得したＣＭデータの放送時刻に基づいて、一連のＣＭ群を特定し、特定したＣＭ群ごとに区分する。例えば、区分部２５２は、放送時刻が連続しているＣＭデータを一連のＣＭ群として特定する。なお、区分部２５２は、放送時刻の間に１から２秒程度の時間があっても、一連のＣＭ群として特定するようにしてもよい。そして、区分部２５２は、ＣＭデータを一連のＣＭ群ごとに出力するように、出力部２３０に出力指示を送る。
【００５２】
次に、修正部２５４は、ユーザによるＣＭ種別の修正完了を待つ。修正部２５４は、ユーザによるＣＭ種別の修正が完了すると、ユーザにより修正が行われたＣＭ種別の情報を抽出する。そして、修正部２５４は、ユーザにより修正されたＣＭ種別を、ＣＭデータ記憶部２４２に記憶されているＣＭデータに反映する。なお、修正部２５４が、ＣＭ種別の修正を番組表データに反映しないのは、例えば、特別番組などの放送により、番組表データとは異なるスケジュールで放送が行われる放送日について、ＣＭ種別の修正を個別に実行するものに過ぎないからである。つまり、番組改編から次の番組改編までの放送期間では、あくまでも、上述した番組表データ記憶部２４１に記憶されている番組表データに基づいて、上述した判別部２５３によりＣＭ種別の自動判別が行われるようにする。
【００５３】
［広告処理装置による処理（実施例１）］
以下、図１１〜１３を用いて、実施例１に係る広告処理装置による処理の流れを説明する。なお、以下では、広告処理装置２００によるＣＭ種別反映処理、ＣＭ種別の自動判別処理およびＣＭ種別の修正処理を順に説明する。
【００５４】
［ＣＭ種別反映処理（実施例１）］
まず、図１１を用いて、ＣＭ種別反映処理の流れを説明する。図１１は、実施例１に係るＣＭ種別反映処理の流れを示す図である。なお、図１１に示す処理が行われることにより、図７に示すように、最初はＣＭ種別が全てネットＣＭであったＣＭデータに対して、図８に示すように、ユーザにより割り付けられたＣＭ種別が反映される。さらに、図１１に示す処理が行われることにより、図５に示すように、最初はネット枠での放送であることを示す番組表の箇所に対して、図９に示すように、ユーザにより割り付けられたＣＭ種別が反映される。
【００５５】
図１１に示すように、例えば、制御部２５０において広告処理装置２００の起動が検知されると（ステップＳ１０１，Ｙｅｓ）、受付部２５１は、番組表データ記憶部２４１から番組表データを取得する（ステップＳ１０２）。なお、制御部２５０において広告処理装置２００の起動が検知されるまでは、判定結果を「Ｎｏ」としてステップＳ１０１の処理が繰り返される。
【００５６】
続いて、受付部２５１からの指示により、出力部２３０は番組表を表示する（ステップＳ１０３）。受付部２５１は、ユーザにより指定された時間帯の情報の受付を待つ（ステップＳ１０４）。なお、受付部２５１は、ユーザにより指定された時間帯の情報が受け付けられるまでは、判定結果を「Ｎｏ」としてステップＳ１０４の処理を継続する。
【００５７】
ユーザにより指定された時間帯の情報が受け付けられた場合には（ステップＳ１０４，Ｙｅｓ）、区分部２５２は、受付部２５１により受け付けた時間帯の情報に基づいてＣＭデータを取得する（ステップＳ１０５）。次に、区分部２５２は、取得した各ＣＭデータに対して、一時的に、受付部２５１から受け付けた時間帯の情報に含まれる放送枠の情報に応じたＣＭ種別を付与する（ステップＳ１０６）。
【００５８】
続いて、区分部２５２は、取得したＣＭデータの放送時刻に基づいて、一連のＣＭ群を特定し、特定したＣＭ群ごとに区分する（ステップＳ１０７）。例えば、区分部２５２は、放送時刻が連続しているＣＭデータを一連のＣＭ群として特定する。そして、区分部２５２からの指示により、出力部２３０はＣＭデータを区分けした詳細画面を表示する（ステップＳ１０８）。例えば、上述の図６に示すように、出力部２３０は、ＣＭデータを一連のＣＭ群ごとに区分けした詳細画面を表示する。
【００５９】
区分部２５２は、ユーザによるＣＭ種別の割付完了を待つ（ステップＳ１０９）。なお、操作画面上の操作部「番組表へ反映」に対するユーザ操作を検出するまで、区分部２５２は、ユーザによるＣＭ種別の割付が完了していないものと判定し（ステップＳ１０９，Ｎｏ）、ステップＳ１０９の処理を継続する。
【００６０】
そして、区分部２５２は、ユーザによるＣＭ種別の割付完了を判定すると（ステップＳ１０９，Ｙｅｓ）、ユーザにより割り付けられたＣＭ種別の情報をＣＭデータに反映する（ステップＳ１１０）。例えば、区分部２５２は、上述の図７に示す詳細画面において、操作部「番組表へ反映」の操作を検出すると、各ＣＭデータについて、ユーザにより割り付けられたＣＭ種別の情報を抽出する。区分部２５２は、図７に示す詳細画面から、「１９：１０：１２」および「１９：１０：２７」に放送されたＣＭのＣＭ種別としてローカルＣＭである旨の情報を抽出する。同様に、区分部２５２は、図７に示す詳細画面から、「１９：１５：３２」、「１９：１５：４７」、「１９：１６：０２」および「１９：１６：１７」に放送されたＣＭのＣＭ種別としてネットＣＭである旨の情報を抽出する。同様に、区分部２５２は、図７に示す詳細画面から、「１９：２９：００」および「１９：２９：３０」に放送されたＣＭのＣＭ種別としてローカルＣＭ、かつステーションブレイクである旨の情報を抽出する。そして、区分部２５２は、図７に示す詳細画面から抽出したＣＭ種別の情報を、例えば、図８に示すように、ＣＭデータ記憶部２４２に記憶されているＣＭデータに反映する。
【００６１】
なお、ステップＳ１１０の処理の後、区分部２５２は、ユーザにより割り付けられたＣＭ種別の情報を、ユーザの判断により番組表データに反映してもよい。例えば、区分部２５２は、図７に示す詳細画面から抽出したＣＭ種別の情報を、番組表データ記億部２４１に記憶されている番組表データにＣＭ種別を反映する。ＣＭ種別が反映された番組表は、例えば、上述した図９のようになる。
【００６２】
［ＣＭ種別自動割付処理（実施例１）］
次に、図１２を用いて、ＣＭ種別自動判別処理の流れを説明する。図１２は、実施例１に係るＣＭ種別自動割付処理の流れを示す図である。なお、図１２に示すＣＭ種別自動判別処理は、最初は、上述した図１１による処理終了後に起動する。そして、図１２に示すＣＭ種別自動判別処理は、２回目以降は、例えば、全ての放送局による放送が終了した後のタイミング、ＣＭデータ記憶部２４２に放送一日分のＣＭデータが蓄積された時刻で起動する。
【００６３】
判別部２５３は、所定の処理タイミングに到達したかどうかを判定する（ステップＳ２０１）。なお、判別部２５３は、所定の処理タイミングへの到達を判定するまでは、判定結果を「Ｎｏ」としてステップＳ２０１の処理を繰り返す。
【００６４】
判別部２５３は、所定の処理タイミングに到達すると（ステップＳ２０１，Ｙｅｓ）、番組表データ記憶部２４１から番組表データを取得する（ステップＳ２０２）。続いて、判別部２５３は、ＣＭデータ記憶部２４２からＣＭデータを取得する（ステップＳ２０３）。そして、判別部２５３は、番組表データに基づいて、ＣＭデータに対してＣＭ種別を自動割付し（ステップＳ２０４）、ＣＭ種別自動割付処理を終了する。例えば、判別部２５３は、番組表データの放送の時間帯とＣＭデータの放送時刻と照合する。そして、判別部２５３は、番組表データの放送の時間帯とＣＭデータの放送時刻が一致するものについてＣＭ種別の情報をＣＭデータに自動で割り付ける。例えば、判別部２５３は、番組表データの放送の時間帯に対応付けられているネットＣＭ、ローカルＣＭあるいはローカルＣＭ（ステーションブレイク）の情報をＣＭデータに自動で割り付ける。
【００６５】
［ＣＭ種別修正処理（実施例１）］
続いて、図１３を用いて、ＣＭ種別修正処理の流れを説明する。図１３は、実施例１に係るＣＭ種別修正処理の流れを示す図である。なお、図１３に示すＣＭ種別修正処理は、上述した図１２に示すＣＭ種別の自動割付処理後、例えば、特別番組が放送されてから対応する番組表が発行される約１週間後に起動される。
【００６６】
修正部２５４は、制御部２５０により視聴率番組表データの読み込みが行われたかどうかを判定する。なお、修正部２５４は、制御部２５０により視聴率番組表データの読み込みが行われるまでは、判定結果を「Ｎｏ」としてステップＳ３０１の判定を繰り返す。
【００６７】
修正部２５４は、制御部２５０により視聴率番組表データの読み込みが行われると（ステップＳ３０１，Ｙｅｓ）、番組表データ記憶部２４１から番組表データを取得する（ステップＳ３０２）。次に、修正部２５４は、視聴率番組表データと番組表データとを比較してデータ間の差異を特定する（ステップＳ３０３）。続いて、修正部２５４からの指示により、出力部２３０は、データ間で差異のある箇所を他の箇所と区別して番組表を表示する（ステップＳ３０４）。例えば、修正部２５４は、上述の図１０に示すように、視聴率番組表データと番組表データとの間に、１月１５日の土曜日の放送の時間帯について差異があるとする。この場合には、修正部２５４は、視聴率番組表データと差異がある番組表データの土曜日の箇所を、例えば表示する日付を太字で表示したり、赤色表示したりするなど、差異が判別できる表示とするように出力部２３０に指示を送る。出力部２３０は、修正部２５４からの指示により、図１０に示す番組表を表示する。
【００６８】
そして、修正部２５４は、ユーザにより指定された時間帯の情報の受付を待つ（ステップＳ３０５）。なお、修正部２５４は、ユーザにより指定された時間帯の情報が受付部２５１により受け付けられるまでは、判定結果を「Ｎｏ」としてステップＳ３０５の処理を継続する。
【００６９】
ユーザにより指定された時間帯の情報が受け付けられた場合には（ステップＳ３０５，Ｙｅｓ）、修正部２５４は、受付部２５１により受け付けた時間帯の情報に基づいてＣＭデータを取得する（ステップＳ３０６）。次に、修正部２５４は、取得したＣＭデータの放送時刻に基づいて、一連のＣＭ群を特定し、特定したＣＭ群ごとに区分する（ステップＳ３０７）。修正部２５４からの指示により、出力部２３０はＣＭデータを区分けした詳細画面を表示する（ステップＳ３０８）。
【００７０】
続いて、修正部２５４は、ユーザによるＣＭ種別の修正完了を待つ（ステップＳ３０９）。なお、操作画面上の操作部「番組表へ反映」に対するユーザ操作を検出するまで、修正部２５４は、ユーザによるＣＭ種別の修正が完了していないものと判定し（ステップＳ３０９，Ｎｏ）、ステップＳ３０９の処理を継続する。そして、修正部２５４は、ユーザによるＣＭ種別の修正完了を判定すると（ステップＳ３０９，Ｙｅｓ）、ユーザにより修正されたＣＭ種別の情報をＣＭデータに反映し（ステップＳ３１０）、ＣＭ種別修正処理を終了する。
【００７１】
［実施例１による効果］
上述してきたように、広告処理装置２００は、一連のＣＭ群ごとに、ＣＭデータを区分けして表示する。このようなことから、実施例１によれば、ユーザは、ＣＭ種別が同一であると考えられる一連のＣＭ群についてＣＭ種別を一度に判別でき、ＣＭ種別の切り分け作業を容易することができる。
【００７２】
また、広告処理装置２００は、例えば、図９に示すように、ＣＭ種別ごとに異なる形態で番組表を表示することができる。よって、ＣＭ種別を一目瞭然にできる。
【００７３】
また、広告処理装置２００は、ユーザにより割り付けられたＣＭ種別反映後の番組表データに基づいて、ＣＭデータに対しＣＭ種別を自動割付する。よって、ＣＭ種別の切り分ける作業負担を大幅に減らすことができる。
【００７４】
なお、実施例１によれば、特別番組の放送により番組表データとは異なるスケジュールで放送が行われた箇所を番組表上で分かりやすく表示する。よって、ＣＭ種別の修正を容易にすることができる。
【００７５】
また、上記の実施例１では、出力される番組表にてユーザの時間帯の指定を受け付ける場合を説明した。しかしながら、これに限定されるものではなく、例えば、ユーザから直接時間帯の入力を受け付けるようにしてもよく、処理内容に矛盾が起きない範囲で、時間帯の指定方法を適宜変更できる。
【実施例２】
【００７６】
以下、本願の開示する本願の開示する広告処理装置、広告処理方法および広告処理プログラムの他の実施形態を説明する。
【００７７】
（１）装置構成等
例えば、図１に示した広告処理装置２００の機能ブロックの構成は概念的なものであり、必ずしも物理的に図示の如く構成されていることを要しない。例えば、図１に示した制御部２５０の受付部２５１、区分部２５２および判別部２５３を機能的または物理的に統合してもよい。このように、例えば、図１に示した広告処理装置２００の機能ブロックの全部または一部を、各種の負荷や使用状況などに応じて、任意の単位で機能的または物理的に分散または統合して構成することができる。
【００７８】
（２）広告処理プログラム
また、上述の実施例にて説明した広告処理装置２００により実行される各種の処理は、例えば、電子回路や集積回路などの電子機器で所定のプログラムを実行することによって実現できる。
【００７９】
そこで、以下では、図１４を用いて、実施例１にて説明した広告処理装置２００により実行される処理と同様の機能を実現する広告処理プログラムを実行する電子機器の一例を説明する。図１４は、広告処理プログラムを実行する電子機器の一例を示す図である。
【００８０】
図１４に示すように、広告処理装置２００により実行される各種処理を実現する電子機器３００は、各種演算処理を実行するＣＰＵ（Central  Processing  Unit）３１０を有する。また、図１４に示すように、電子機器３００は、外部からのデータ入力を受け付ける入力インターフェース３２０、外部へデータを出力する出力インターフェース３３０、通信を行うための通信インターフェース３４０を有する。
【００８１】
また、図１４に示すように、電子機器３００は、ＣＰＵ３１０により各種処理を実現するためのプログラムやデータ等を記憶するハードディスク装置３５０と、各種情報を一時記憶するＲＡＭ（Random  Access  Memory）などのメモリ３６０とを有する。そして、各装置３１０〜３６０は、バス３７０に接続される。
【００８２】
なお、ＣＰＵ３１０の代わりに、例えば、ＭＰＵ（Micro  Processing  Unit）などの電子回路、ＡＳＩＣ（Application  Specific  Integrated  Circuit）やＦＰＧＡ(Field  Programmable  Gate  Array)などの集積回路を用いることもできる。また、メモリ３６０の代わりに、フラッシュメモリ(flash  memory)などの半導体メモリ素子を用いることもできる。
【００８３】
ハードディスク装置３５０には、広告処理装置２００の機能と同様の機能を発揮する広告処理プログラム３５１および広告処理用データ３５２が記憶されている。なお、この広告処理プログラム３５１を適宜分散させて、ネットワークを介して通信可能に接続された他のコンピュータの記憶部に記憶させておくこともできる。
【００８４】
そして、ＣＰＵ３１０が、広告処理プログラム３５１をハードディスク装置３５０から読み出してメモリ３６０に展開することにより、図１４に示すように、広告処理プログラム３５１は広告処理プロセス３６１として機能する。広告処理プロセス３６１は、ハードディスク装置３５０から読み出した広告処理用データ３５２等の各種データを適宜メモリ３６０上の自身に割当てられた領域に展開し、この展開した各種データに基づいて各種処理を実行する。
【００８５】
なお、広告処理プロセス３６１は、例えば、上述した広告処理装置２００の制御部２５０にて実行される処理、例えば、図１１から図１３を用いて説明した処理を含む。
【００８６】
なお、広告処理プログラム３５１については、必ずしも最初からハードディスク装置３５０に記憶させておく必要はない。例えば、電子機器３００が接続可能な「可搬用の物理媒体」に各プログラムを記憶させておく。例えば、「可搬用の物理媒体」には、フレキシブルディスク、ＣＤ−ＲＯＭ（Compact  Disc  Read  Only  Memory）、ＤＶＤ（Digital  Versatile  Disc）ディスク、光磁気ディスク、ＩＣカード（integrated  circuit  card）などがある。そして、電子機器３００が、これらの「可搬用の物理媒体」から各プログラムを読み出して実行するようにしてもよい。
【００８７】
さらには、電子機器３００が、公衆回線、インターネット、ＬＡＮ（Local  Area  Network）、ＷＡＮ（Wide  Area  Network）などを介して、「他のコンピュータ（またはサーバ）」などに予め記憶させておいた各プログラムを読み出して実行するようにしてもよい。
【符号の説明】
【００８８】
１００  キャプチャ装置
２００  広告処理装置
２１０  通信部
２２０  入力部
２３０  出力部
２４０  記憶部
２４１  番組表データ記憶部
２４２  ＣＭデータ記憶部
２５０  制御部
２５１  受付部
２５２  区分部
２５３  判別部
２５４  修正部
３００  電子機器
３１０  ＣＰＵ
３２０  入力インターフェース
３３０  出力インターフェース
３４０  通信インターフェース
３５０  ハードディスク装置
３５１  広告処理プログラム
３５２  広告処理用データ
３６０  メモリ
３６１  広告処理プロセス
３７０  バス
【図１】
0005712692.tif 000002
【図２】
0005712692.tif 000003
【図３】
0005712692.tif 000004
【図４】
0005712692.tif 000005
【図５】
0005712692.tif 000006
【図６】
0005712692.tif 000007
【図７】
0005712692.tif 000008
【図８】
0005712692.tif 000009
【図９】
0005712692.tif 000010
【図１０】
0005712692.tif 000011
【図１１】
0005712692.tif 000012
【図１２】
0005712692.tif 000013
【図１３】
0005712692.tif 000014
【図１４】
0005712692.tif 000015